(57)【要約】【課題】  変えたブラシの方向を自由に変更、保持することができ、使い勝手を向上したアタッチメントを備えた掃除機を提供する。【解決手段】  電気掃除機１は、掃除機本体２と、一端が掃除機本体２に設けられた接続口２Ａに接続され他端に接続部３Ａを有するホース３と、一端がホース３の接続部３Ａに接続される延長管５と、延長管５の他端に接続される床ブラシ７と、ホース３の接続部３Ａ、若しくは、延長管５の他端側の端部に設けたアタッチメント１０とを備え、アタッチメント１０はホース３の接続部３Ａ、若しくは、延長管５の他端側の端部の外面に設けられた保持体１１と、端面の少なくとも一部に集塵を行うブラシ１６が設けられた植毛台１２と、この植毛台１２と連通した略円筒形状の筒体１３と、内部に風路１４が形成され、保持体１１と筒体１３とを連結する伸縮自在の蛇腹ホース１７とを有する。【選択図】          図３
2005192911.tif 000002
【特許請求の範囲】
【請求項１】
掃除機本体と、一端が前記掃除機本体に設けられた接続口に接続され他端に接続部を有するホースと、一端が前記ホースの接続部に接続される延長管と、前記延長管の他端に接続される床ブラシと、前記ホースの接続部、若しくは、前記延長管の他端側の端部に設けたアタッチメントとを備え、
前記アタッチメントは前記ホースの接続部、若しくは、前記延長管の他端側の端部の外面に設けられた保持体と、端面の少なくとも一部に集塵を行うブラシが設けられた植毛台と、この植毛台と連通した略円筒形状の筒体と、内部に風路が形成され、前記保持体と前記筒体とを連結する伸縮自在の蛇腹ホースとを有することを特徴とする電気掃除機。
【請求項２】
前記アタッチメントは前記蛇腹ホースの縮退時に、前記保持体の前端部と前記筒体の後端部の一部若しくは全体が当接することを特徴とする請求項１に記載の電気掃除機。
【請求項３】
前記保持体と前記筒体とは一端部を支点にして回動自在に連結する回転軸を設けたことを特徴とする請求項１または２のいずれかの電気掃除機。
【請求項４】
前記蛇腹ホースの伸縮時に当該蛇腹ホースは伸長時、若しくは、縮退時、若しくは、伸長乃至縮退途中で保持できることを特徴とする請求項１乃至３のいずれかに記載の電気掃除機。
【請求項５】
掃除機本体と、一端が前記掃除機本体に設けられた接続口に接続され他端に接続部を有するホースと、一端が前記ホースの接続部に接続される延長管と、前記延長管の他端に接続される床ブラシと、前記ホースの接続部、若しくは、前記延長管の他端側の端部に設けられた脱用ボタンとアタッチメントとを備え、
前記アタッチメントは前記ホースの接続部、若しくは、前記延長管の他端側の端部の外面に設けられ、前記ホースと前記延長管と前記アタッチメント、若しくは、前記延長管と前記床ブラシと前記アタッチメントは前記脱用ボタンにて着脱自在に保持したことを特徴とする電気掃除機。
【請求項６】
前記脱用ボタンを押圧した場合、前記延長管、若しくは、前記床ブラシの保持を解除した後、前記アタッチメントの保持を解除することを特徴とする請求項５に記載の電気掃除機。
【請求項７】
前記ホースの接続部、若しくは、前記延長管の他端側の端部に設けられた前記脱用ボタンは、前記保持体装着時に前記保持体の外面より突出若しくは同面になるように設けられたことを特徴とする請求項５または請求項６のいずれかに記載の電気掃除機。
【請求項８】
前記アタッチメントは、前記延長管、若しくは、前記床ブラシを外す場合よりも前記脱用ボタンを深く押すことで離脱できるようにしたことを特徴とする請求項７に記載の電気掃除機。
【発明の詳細な説明】
【技術分野】
【０００１】
本発明は、掃除用アタッチメントを備えた電気掃除機、特に掃除用アタッチメントの使い勝手の向上に関するものである。
【背景技術】
【０００２】
従来、部屋のコーナーや家具の隙間や敷居或いは障子の桟や窓枠などの狭い箇所の掃除を行うためのブラシが設けられたアタッチメントを備えた電気掃除機が知られている。該アタッチメントは、断面略Ｃ字状に形成され、電気掃除機の集塵ホースの端部や延長管端部に回動自在に枢着されていた。このアタッチメントは、ホースの端部や延長管の端部に取り付けたままで延長管先端に設けた床ブラシで掃除ができ、また、床ブラシを外せばアタッチメントで部屋のコーナーや家具の隙間や敷居或いは障子の桟や窓枠等の狭い箇所の掃除を行えるように構成していた（特許文献１、特許文献２参照）。
【０００３】
【特許文献１】特許第３２１３６０３号
【特許文献２】特開平７−２０４１３２号公報
【発明の開示】
【発明が解決しようとする課題】
【０００４】
しかしながら、従来の電気掃除機は掃除を行う際にアタッチメントの上下方向の向きが固定されているため、アタッチメントに設けたブラシの方向も一定となってしまう。このため、掃除を行える範囲が制約されてしまい低い箇所の掃除は容易に行えるが、高い箇所の掃除は困難であった。また、制約以外の高い箇所を無理に掃除した場合、ホースや延長管を無理な方向に傾けなければならず、手首が疲れたり、ホースや延長管が邪魔をして使い勝手が悪かった。
【０００５】
特に、従来の上下方向の向きが固定されているアタッチメントでは照明器具の傘の上などの高い場所の掃除はできないという問題があった。また、特許第３２１３６０３号においては、アタッチメントを略Ｕ字状に形成することで、アタッチメント自身の弾性によりホースグリップ部の接続部、または、延長管の接続部に着脱自在としているが、弾性力が弱いと掃除中に生じる衝撃でアタッチメントが外れて離脱し易くなり、逆に弾性力が強いと着脱が困難という問題もあった。
【０００６】
本発明は、前記課題に鑑み為されたものであり、変えたブラシの方向を自由に変更、保持することができ、使い勝手を向上したアタッチメントを備えた掃除機を提供することを目的とする。
【課題を解決するための手段】
【０００７】
前記目的を達成するために、本発明にかかる電気掃除機は、掃除機本体と、一端が前記掃除機本体に設けられた接続口に接続され他端に接続部を有するホースと、一端が前記ホースの接続部に接続される延長管と、前記延長管の他端に接続される床ブラシと、前記ホースの接続部、若しくは、前記延長管の他端側の端部に設けたアタッチメントとを備え、前記アタッチメントは前記ホースの接続部、若しくは、前記延長管の他端側の端部の外面に設けられた保持体と、端面の少なくとも一部に集塵を行うブラシが設けられた植毛台と、この植毛台と連通した略円筒形状の筒体と、内部に風路が形成され、前記保持体と前記筒体とを連結する伸縮自在の蛇腹ホースとを有することを特徴とする。
【発明の効果】
【０００８】
本発明の電気掃除機によれば、掃除機本体と、一端が掃除機本体に設けられた接続口に接続され他端に接続部を有するホースと、一端がホースの接続部に接続される延長管と、延長管の他端に接続される床ブラシと、ホースの接続部、若しくは、延長管の他端側の端部に設けたアタッチメントとを備え、アタッチメントはホースの接続部、若しくは、延長管の他端側の端部の外面に設けられた保持体と、端面の少なくとも一部に集塵を行うブラシが設けられた植毛台と、この植毛台と連通した略円筒形状の筒体と、内部に風路が形成され、保持体と筒体とを連結する伸縮自在の蛇腹ホースとを有することにより、風路の軸線方向に指向させたアタッチメントの方向を他の方向に変えることができる。これにより、植毛の方向も変わるので、ホースの持ち手の位置や向きを変えずに、効率よく掃除を行うことができ、電気掃除機の使い勝手を向上させることができる。
【発明を実施するための最良の形態】
【０００９】
実施の形態１．
以下、本発明の一実施形態に基づき、本発明を詳しく説明する。図１は本実施形態における電気掃除機１の斜視図を示している。図に示すように、本実施形態における電気掃除機１は、図示しないが蓄電池などの電源若しくは交流商用電源に接続する電源コードを有する掃除機本体２と、この掃除機本体２に設けられた接続口２Ａにホース３の挿入部３Ｂが挿入され接続されている。
【００１０】
ホース３の接続部３Ａには円筒形の延長管５（本実施形態では連結・分割可能な２本の延長管５Ａ、５Ｂ）の一端が接続され、延長管５の他端には床や絨毯を掃除する床ブラシ７が接続されている。ホース３と延長管５及び床ブラシ７の接続管７Ａは略同等の太さにて構成され、延長管５Ａのホース３側、延長管５Ｂの延長管５Ａ側、床ブラシ７の延長管５Ｂ側には所定寸法小径の連結挿入部（図示せず）が設けられている。これらの連結挿入部を、接続するホース３、延長管５Ａ、延長管５Ｂ等に挿入することで、ホース３、延長管５Ａ、延長管５Ｂ及び床ブラシ７の接続管７Ａはそれぞれ相互に接続できるように構成されている。
【００１１】
延長管５Ａの他端側の端部（本実施形態では、延長管５Ｂ及び床ブラシ７側）の外面には部屋のコーナーや家具の隙間や敷居或いは障子の桟や窓枠等の狭い箇所、或いは、照明器具の傘などの掃除を行い得るアタッチメント１０が設けられている。アタッチメント１０は図２に示すように、延長管５Ａ周囲に挿脱自在に保持される円筒形状の保持体１１と、円筒形状の筒体１３と、内部に風路１４（図３に図示）が形成され、保持体１１と筒体１３とを連結する伸縮自在の蛇腹ホース１７とから構成されている。
【００１２】
蛇腹ホース１７は所定の長さを有し、一端は筒体１３内部に嵌合固定されると共に他端は保持体１１に形成された大径の嵌合部１１Ｂ内に嵌合固定され、これによって保持体１１と筒体１３とは伸縮自在に構成されると共に、蛇腹ホース１７は周囲どの方向に折曲させても、その屈曲状態を保持できるものを用いている。例をあげると、蛇腹ホース１７を伸張してブラシ１６をホースグリップ部４方向に折曲させれば、蛇腹ホース１７はブラシ１６をホースグリップ部４方向に折曲した状態で保持できる。このように、蛇腹ホース１７は所定角度折曲させた状態でその角度を保持することができるので、低い箇所からでも高い敷居の上や障子の桟、或いは、照明器具の傘などをブラシ１６で掃除し易く掃除機の利便性が向上される。
【００１３】
また、蛇腹ホース１７を縮退させて保持体１１と筒体１３とを近接させたときは、保持体１１の前端部と筒体１３の後端部の一部若しくは全体を当接できると共に縮退させた蛇腹ホース１７を収納し覆えるように構成している。これによって、蛇腹ホース１７の縮退時には、保持体１１と筒体１３にて蛇腹ホース１７を覆うことができるので、外部応力や、収納時に何かにぶつけることによって蛇腹ホース１７に傷が付いてしまうのを防止し保護することができると共に、蛇腹ホース１７に埃が溜まってしまうのを防止することができる。尚、図２では保持体１１と筒体１３とを近接させた状態を記載している。
【００１４】
一方、延長管５Ａには脱用ボタン２０が設けられており、この脱用ボタン２０は延長管５Ｂ側の端部近傍に設けられると共に延長管５Ａより所定寸法突出して設けられている。脱用ボタン２０は、延長管５Ａ内に接続してロックした延長管５Ｂのロックを解除し取り外すためのもので、延長管５Ｂをロックするロック機構（図示せず）が延長管５Ａ内部に設けられると共に、脱用ボタン２０は図示しない付勢部材によって常時、後述するロック孔１１Ａより所定寸法突出するように構成されている。尚、接続部３Ａの延長管５Ａ側の端部近傍及び延長管５Ｂの床ブラシ７側の端部近傍にも同様の脱用ボタン２０が設けられている。また、このロック機構については後述する実施の形態３で詳しく説明する。
【００１５】
筒体１３の一側には連続して植毛台１２が設けられており、この植毛台１２には集塵を行うためのブラシ１６が設けられている。このブラシ１６は植毛台１２の円周に沿って略半周設けられると共に、延長管５Ｂの延在方向に所定寸法延在している。即ち、植毛台１２には筒体１３の離間側に所定距離延在してブラシ１６が略半周設けられている。このブラシ１６によって、部屋のコーナーや家具の隙間や敷居或いは障子の桟や窓枠等の狭い箇所に付着或いは溜まった塵を掻き出し掃除できる。
【００１６】
保持体１１にはロック孔１１Ａが設けられており、このロック孔１１Ａは脱用ボタン２０を挿脱可能に構成している。保持体１１は、延長管５Ａの接続部に保持体１１を挿入してロック孔１１Ａより脱用ボタン２０を突出させることにより、アタッチメント１０（保持体１１）は延長管５Ａの他端側の端部に保持固定され、これによって延長管５Ａからアタッチメント１０が抜けてしまうのを防止している。また、アタッチメント１０は、延長管５Ａ、若しくは、床ブラシ７を外す場合よりも、脱用ボタン２０を深く押すことによりアタッチメント１０を離脱できるように構成している。
【００１７】
そして、アタッチメント１０を使用して清掃する場合は、図３に示すように蛇腹ホース１７を伸張（白抜き矢印方向）させて、ブラシ１６にて部屋のコーナーや家具の隙間や敷居或いは障子の桟や窓枠等の狭い箇所に付着或いは溜まった塵を掻き出し、実線矢印で示すように風路１４内を介して吸い込み掃除を行うことができる。このとき、蛇腹ホース１７は所定角度折曲させた状態で保持することができる。例えばブラシ１６を上方向に折曲させれば、ブラシ１６を延長管５Ａの軸線方向にと垂直な状態で保持することができる。
【００１８】
また、延長管５Ａの他端側に床ブラシ７を接続する場合は、図４に示すように延長管５Ａの他端側の端部にアタッチメント１０が取り付けられた状態で、延長管５Ａの他端側に床ブラシ７が接続された延長管５Ｂの一端側を挿入するか、または延長管５Ａの他端側に床ブラシ７の接続管７Ａを挿入するすることで接続することが出来る。この場合、床ブラシ７が接続された延長管５Ｂの一端側或いは床ブラシ７の接続管７Ａは延長管５Ａの他端側に設けられた脱用ボタン２０の図示しないロック機構によってロックされると共に保持固定される。これによって、アタッチメント１０が延長管５Ａに保持固定された状態で、床ブラシ７で床や絨毯或いは畳などを綺麗に掃除することができる。
【００１９】
また、延長管５Ｂに床ブラシ７が取り付けられた状態でアタッチメント１０を使用し掃除する場合は、アタッチメント１０の保持体１１に形成されたロック孔１１Ａから突出している脱用ボタン２０を、保持体１１表面に略面一まで押圧すれば、延長管５Ａと延長管５Ｂとのロックが解除される。このとき、アタッチメント１０のロック孔１１Ａに脱用ボタン２０が面一となっているのでアタッチメント１０と脱用ボタン２０のロックは解除されない。この状態で、延長管５Ａと延長管５Ｂとを離間させれば、アタッチメント１０が延長管５Ａの他端側に保持固定された状態で延長管５Ｂと共に床ブラシ７を取り外すことができる。そしてさらに脱用ボタン２０を押圧すると、アタッチメント１０と延長管５Ａのロックが解除され、アタッチメント１０を延長管５Ａから取り外し、延長管５Ａの他端側と延長管５Ｂの一端側を接続し、前述と延長管５Ａと５Ｂを外したのと同様に延長管５Ｂの他端側に取り付けられた床ブラシ７を取り外して、アタッチメント１０を延長管５Ｂの他端側に取り付ければよい。そして床ブラシ７で掃除する際には、このまま延長管５Ｂの他端側に床ブラシ７の接続管７Ａを延長管５Ｂに挿入し接続すればよい。尚、アタッチメント１０をホース３の接続部３Ａの他端側の端部に保持固定した場合も同様にアタッチメント１０を着脱することができる上、接続部３Ａにアタッチメントをとりつけたまま延長管５Ａや５Ｂ及び床ブラシ７の接続管７Ａを着脱することもできる。
【００２０】
このように、脱用ボタン２０を保持体１１表面に略面一まで押圧すればホース３、延長管５Ａ、延長管５Ｂ、床ブラシ７の接続管７Ａのそれぞれの接続が解除されて外すことが出来、更にロック孔１１Ａの下側まで脱用ボタン２０を押圧すればホース３、延長管５Ａ、延長管５Ｂに取り付けられたアタッチメント１０を離脱させ外すことができるので、脱用ボタン２０を保持体１１表面に略面一まで押圧することによりアタッチメント１０を外すことなくそれぞれのロックを単独で解除することができる。これにより、アタッチメント１０の着脱操作性を大幅に向上することができる。従って、電気掃除機１の使用状況に応じて延長管５Ａや延長管５Ｂ若しくはホース３の接続部３Ａにアタッチメント１０を着脱することが可能となり、延長管５Ａ、５Ｂや床ブラシ７外すときにアタッチメント１０が同時にはずれてしまうなどの不都合を防止することができ、更に電気掃除機１の使い勝手を向上させることができる。
【００２１】
また、蛇腹ホース１７は伸長時、若しくは、縮退時、若しくは、伸長乃至縮退途中でその状態を保持できるので、ホース３の接続部３Ａや、延長管５Ａ、延長管５Ｂに対してアタッチメント１０を所定の角度で保持することが可能となる。これにより、電気掃除機１の使用状況に応じてアタッチメント１０の角度を変えることができる。従って、清掃箇所に合わせてアタッチメント１０の角度を変えられるので、電気掃除機１の使い勝手を極めて向上させることができる。また、蛇腹ホース１７の縮退時に、保持体１１の前端部と筒体１３後端部の一部若しくは全体を当接するように構成しているので、蛇腹ホース１７を保持体１１と筒体１３内に収納し覆うことができる。これにより、蛇腹ホース１７が保持体１１と筒体１３の表面にでないので蛇腹ホース１７の損傷を保護できるようになると共に、蛇腹ホース１７に埃が溜まってしまうのを阻止することができる。
【００２２】
実施の形態２．
本実施の形態における電気掃除機１は、前述の実施の形態と略同じ構成を有している。以下、異なる部分について説明する。尚、前述の各実施の形態と同じ部分にはこれと同じ符号を付し、説明を省略する。図５は、本発明の他の一実施形態における電気掃除機１の要部の縦断側面図である。本実施の形態は図５に示すように筒体１３と保持体１１（ブラシ１６）とはヒンジ２７によって回動自在に枢着さている。
【００２３】
ヒンジ２７は図６に示すように、保持体１１の筒体１３側端部に、円周方向に所定の間隔で対向して弾性を有する保持体側ヒンジ板２３が設けられると共に、これら保持体側ヒンジ板２３は所定寸法下方に延在している。そして、保持体側ヒンジ板２３にはそれぞれ貫通孔２３Ａが貫通して設けられている。
【００２４】
また、筒体１３の保持体１１側端部には円周方向に所定の間隔で、保持体側ヒンジ板２３内側に位置して弾性を有する筒体側ヒンジ板２４が設けられると共に、筒体側ヒンジ板２４も所定寸法下方に延在している。筒体側ヒンジ板２４は図５に示すように保持体１１と筒体１３の端面を当接させた状態で、所定の面積保持体側ヒンジ板２３内側に延在させている。
【００２５】
そして、保持体側ヒンジ板２３内側に延在する筒体側ヒンジ板２４に前記貫通孔２３Ａに対応して貫通孔２４Ａが設けられている。係る保持体１１と筒体１３の端面を当接させ、保持体側ヒンジ板２３の内側に筒体側ヒンジ板２４を配設させた状態で、金属或いは所定の強度を有する回転軸２５が保持体側ヒンジ板２３の貫通孔２３Ａ、筒体側ヒンジ板２４の貫通孔２４Ａにそれぞれ挿通されている。尚、回転軸２５は、その両端に保持体側ヒンジ板２３の貫通孔２３Ａより大径の抜け止め２５Ａが設けられており、この抜け止め２５Ａはどちらか一方を回転軸２５を挿通した後に形成することによって回転軸２５が貫通孔２３Ａから抜けてしまうのを防止している。
【００２６】
また、図６に示す左側の保持体側ヒンジ板２３には所定寸法彫り込まれた凹部２３Ｂが設けられている。凹部２３Ｂは、貫通孔２３Ａより所定寸法離間して設けられると共に、貫通孔２３Ａを中心として円弧状に形成されている。この凹部２３Ｂは、底部を半円形に形成されると共に保持体側ヒンジ板２３に隣接する筒体側ヒンジ板２４側の面に設けられている。
【００２７】
また、筒体側ヒンジ板２４には凸部２４Ｂが所定寸法突出して設けられており、この凸部２４Ｂは隣接する保持体側ヒンジ板２３に設けた凹部２３Ｂに対応する位置に設けられている。凸部２４Ｂは所定の太さのピン状に形成され、先端は円弧状の凹部２３Ｂ内を摺動可能な半円球に形成されている。これによって、凸部２４Ｂは凹部２３Ｂ内に略線接触で接触すると共に、凸部２４Ｂは保持体側ヒンジ板２３及び筒体側ヒンジ板２４の弾性力によって凹部２３Ｂに所定の付勢力で付勢される。
【００２８】
即ち、回転軸２５を支点に保持体１１を図７に示すように回動させた場合、保持体側ヒンジ板２３に設けた凹部２３Ｂと筒体側ヒンジ板２４に設けた凸部２４Ｂとの付勢力によってブラシ１６を所定の角度で保持できるように構成している。これにより、延長管５Ａ端部に設けたブラシ１６を所定の角度で保持することができる。従って、所定の角度で保持させたブラシ１６で障子の桟や窓枠、或いは、照明器具の傘などの高い箇所でも容易に掃除することができる。
【００２９】
特に、保持体１１と筒体１３とを一端部を支点にして回動自在に回動する回転軸２５にて連結しているので、蛇腹ホース１７の縮退方向を一方向に規制することができるようになると共に、ホース３、若しくは、延長管５Ａの直交方向に、植毛台１２に設けたブラシ１６の向きを変化させることができる。これにより、被掃除面にブラシ１６を当てた時、蛇腹ホース１０が逆戻りする力を一方向の縮み方向に規制することができるので、ホース３の持ち手の位置や向きを変えずに、楽に効率良く掃除を行うことが可能となる。従って、アタッチメント１０をホース３、若しくは、延長管５Ａの直交方向に容易に変えることができるようになり、蛇腹ホース１７の縮退が左右に揺さぶられることもなくバランスよく縮退させることができる。
【００３０】
また、前述した如き蛇腹ホース１７は所定角度折曲させた状態で保持することができるので、保持体側ヒンジ板２３に設けた凹部２３Ｂと筒体側ヒンジ板２４に設けた凸部２４Ｂとの付勢力と蛇腹ホース１７とによって、回転軸２５を支点として回動する蛇腹ホース１７は伸長時、若しくは、縮退時、若しくは、伸長乃至縮退途中で延長管５Ａ端部に設けたブラシ１６の角度を確実に保持することができる。また、凸部２４Ｂを半円球に構成することで保持体側ヒンジ板２３と筒体側ヒンジ板２４に設けた凹部２３Ｂと凸部２４Ｂとを略線接触で接触させているので、保持体側ヒンジ板２３と筒体側ヒンジ板２４とを全面で接触させる場合に対して抵抗も少なく円滑に回動させることができる。
【００３１】
これにより、電気掃除機１での清掃箇所や使用状況に応じて角度を変えてアタッチメント１０を確実に保持することができ、電気掃除機１の使い勝手を極めて向上させることができる。更に、蛇腹ホース１７の縮退時に、保持体１１の前端部と筒体１３後端部の一部若しくは全体を当接させているので、蛇腹ホース１７を保持体１１と筒体１３内に収納し覆うことができる。これにより、前述同様蛇腹ホース１７の損傷を保護でき、また蛇腹ホース１７に埃が溜まるのを防止することができる。
【００３２】
尚、凹部２３Ｂを左側の保持体側ヒンジ板２３に設けたが、右側の保持体側ヒンジ板２３の筒体側ヒンジ板２４側に設けても差し支えない。この場合、右側の保持体側ヒンジ板２３に設けた凹部２３Ｂに隣接する筒体側ヒンジ板２４に凸部２４Ｂを設ければ、左側の保持体側ヒンジ板２３に凹部２３Ｂを設けたときと同様の効果を得ることができる。
【００３３】
また、保持体側ヒンジ板２３に凹部２３Ｂを設けると共に隣接する筒体側ヒンジ板２４に凸部２４Ｂを設けても良い。これにより、延長管５Ａ端部に設けたブラシ１６の角度を更に確実に保持することができる。また、凹部２３Ｂ内に図示しない半円状の凹停止部を隣接、若しくは、所定の間隔で設けても良い。この場合、凸部２４Ｂが凹部２３Ｂ内を平面に移動する場合に比して凹停止部内からの脱出に負荷を発生させる。これにより、ブラシ１６に強い力が加わった場合でも、回動させたブラシ１６の角度がずれてしまうなどの不都合を確実に防止することができ、電気掃除機１の使い勝手を極めて大幅に向上させることができる。
【００３４】
なお、本実施形態では延長管５Ａの他端側先端にアタッチメント１０を取りつけた例をあげて説明したが、本実施形態における電気掃除機１もアタッチメント１０を接続部３Ａや延長管５Ｂの端部に取り付けることが可能であることは言うまでもない。
【００３５】
実施の形態３．
本実施の形態における電気掃除機１は、前述の実施の形態と略同じ構成を有している。以下、異なる部分について説明する。尚、前述の各実施の形態と同じ部分にはこれと同じ符号を付し、説明を省略する。図８は、本発明の他の一実施形態における電気掃除機１の要部の縦断側面図である。本実施形態においても図８に示すように延長管５にアタッチメント１０を設けている。
【００３６】
アタッチメント１０は連結筒体３０の一側には前述同様ブラシ１６が設けられた植毛台１２が設けられており、他側には脱用ボタン２０が突出するロック孔１１Ａが形成されている。本実施形態における連結筒体３０は前述の各実施形態における保持体１１と筒体１３とを一体化したもので蛇腹ホース１７は具備していない。脱用ボタン２０にはロック機構が設けられており、このロック機構は脱用ボタン２０から連続して延長管５Ａ内を延長管５Ａの延在方向に所定寸法延在する支持板２０Ａが設けられ、その先端にはロック部２０Ｂが設けられている。尚、延長管５Ａは一部二重構造となっておりその中に支持板２０Ａが設けられている。
【００３７】
また、ロック部２０Ｂは延長管５Ｂ端部の円周に設けられた溝６内に係脱可能に構成されている。そして、ロック部２０Ｂが延長管５Ｂの溝６内に係合された状態で、延長管５Ａと延長管５Ｂとがロックされて外れないように構成されると共に、ロック部２０Ｂが延長管５Ｂの溝６内から離脱した状態で、延長管５Ａにロックされた延長管５Ｂを外せるように構成されている。即ち、アタッチメント１０は、延長管５、若しくは、床ブラシ７を外す場合よりも、脱用ボタン２０を深く押すことによりアタッチメント１０を離脱できるように構成している。
【００３８】
また、脱用ボタン２０は内部を空洞に形成され、そこにコイルスプリング、板バネなどからなる付勢部材２２（本実施形態ではコイルスプリング）が設けられている。この付勢部材２２によって、脱用ボタン２０は常時ロック孔１１Ａより突出すると共に、ロック部２０Ｂは延長管５Ｂの溝６内に付勢するように構成されている。脱用ボタン２０には鍔２０Ｃが設けられており、この鍔２０Ｃによってロック孔１１Ａより所定寸法以上突出しないように構成されている。
【００３９】
支持板２０Ａは、延長管５Ａに設けられ、金属或いは所定の強度を有する回転軸２１に回動自在に枢支されると共に、脱用ボタン２０とロック部２０Ｂは回転軸２１を支点にシーソー動作するように構成されている。そして、図８に示すように脱用ボタン２０が押圧されない状態では、付勢部材２２の付勢力によって脱用ボタン２０はロック孔１１Ａより突出し、ロック部２０Ｂは延長管５Ｂの溝６内に係合される。これによって、延長管５Ａの他端側の端部にアタッチメント１０が保持固定されると共に、延長管５Ｂが保持固定される。この状態は、電気掃除機１の通常の使用状態で前述した如き床ブラシ７を用いて床や絨毯或いは畳などを綺麗に掃除することができる。
【００４０】
そして、アタッチメント１０を使用する場合は、図９に示すように脱用ボタン２０を所定寸法押圧する（この場合、脱用ボタン２０は連結筒体３０の略面一まで押圧する）と、回転軸２１を支点にロック部２０Ｂはシーソー動作する。これによって、ロック部２０Ｂは脱用ボタン２０の押圧方向と反対方向に移動し、係合された延長管５Ｂの溝６内から離脱する。このとき、脱用ボタン２０は連結筒体３０の略面一までしか押圧していないので、延長管５Ａより延長管５Ｂだけが矢印方向に移動し外すことができ、アタッチメント１０は延長管５Ａの他端側の端部に保持固定されたままとなる。この状態で、アタッチメント１０に設けたブラシ１６を用いて部屋のコーナーや家具の隙間や敷居或いは障子の桟や窓枠などの狭い箇所を掃除することができる。
【００４１】
そして、アタッチメント１０を離脱させ外す場合、或いは、延長管５Ａの他端側の端部から、延長管５Ｂの他端側の端部或いは接続部３Ａなどに取り付けて使用する場合、図１０に示すように脱用ボタン２０をロック孔１１Ａの下方まで押圧する。これによって、脱用ボタン２０によるアタッチメント１０の保持固定が解除できるので、延長管５Ａ端部からアタッチメント１０を矢印方向に引き抜けば、延長管５Ａからアタッチメント１０を離脱し外すことができる。外したアタッチメント１０は延長管５Ｂの他端側の端部或いは接続部３Ａなどに取り付ければ前述同様、部屋のコーナーや家具の隙間や敷居或いは障子の桟や窓枠などの狭い箇所、或いは、障子の桟や窓枠、或いは、照明器具の傘などの高い箇所でをアタッチメント１０に設けたブラシ１６で綺麗に掃除することができる。
【００４２】
また、脱用ボタン２０は連結筒体３０表面に略面一まで押圧すれば延長管５Ａより延長管５Ｂを外すことができ、更にロック孔１１Ａの下側まで脱用ボタン２０を押圧すれば延長管５Ａの他端側の端部に設けたアタッチメント１０を離脱させ外すことができる。これにより、アタッチメント１０の着脱操作性を大幅に向上することができる。従って、電気掃除機１の掃除の使用状況に応じて延長管５Ａや延長管５Ｂ若しくは接続部３Ａにアタッチメント１０を着脱することが可能となり、アタッチメント１０と同時に延長管５Ａ、５Ｂや床ブラシ７が同時に外れてしまうなどの不都合を防止することができるので、更に電気掃除機１の使い勝手を向上させることができる。特に、アタッチメント１０と延長管５を同じ部品である脱用ボタン２０で着脱することができるので、構造を簡単化することができ、コストを安価にすることができる。
【００４３】
尚、各実施の形態では脱用ボタン２０のロック機構で接続部３Ａと延長管５、延長管５Ａと延長管５Ｂ、延長管５と床ブラシ７、及び接続部３Ａと床ブラシ７とを連結し得る構成としたが、このロック機構を接続部３Ａと延長管５、延長管５と床ブラシ７との連結を圧入方式で連結する電気掃除機１に適用しても本発明は有効である。
【００４４】
また、各実施の形態ではアタッチメント１０を両延長管５Ａ、５Ｂ間に設けたが、アタッチメント１０は、ホース３の接続部３Ａ（図１に図示）、若しくは、延長管５Ｂの床ブラシ７側の端部に設けても同様の効果を得ることができる。特に、アタッチメント１０を延長管５Ｂの床ブラシ７側に設ければ、延長管５は延長管５Ａ、延長管５Ｂを接続して長くしているので図示しない照明器具の傘の上や、障子の桟などの高い場所の掃除に好適である。
【００４５】
このように、本実施形態における電気掃除機では、アタッチメントの付け替えにおいて、掃除機の構造を簡易化できる掃除機を提供することを目的として、掃除機本体と、一端が前記掃除機本体に設けられた接続口に接続され他端に接続部を有するホースと、一端が前記ホースの接続部に接続される延長管と、前記延長管の他端に接続される床ブラシと、前記ホースの接続部、若しくは、前記延長管の他端側の端部に設けられた脱用ボタンとアタッチメントとを備え、前記アタッチメントは前記ホースの接続部、若しくは、前記延長管の他端側の端部の外面に設けられ、前記ホースと前記延長管と前記アタッチメント、若しくは、前記延長管と前記床ブラシと前記アタッチメントは前記脱用ボタンにて着脱自在に保持したことにより、アタッチメントをホース先端や延長管先端から取り外す際に使用する脱用ボタンを、延長管や床ブラシをホース先端や延長管先端から外すボタンと共用することができるので、掃除機の構造を簡易化でき、電気掃除機の使い勝手を向上させることができる。
【図面の簡単な説明】
【００４６】
【図１】本発明の一実施形態に係る電気掃除機１の斜視図である。
【図２】本発明の一実施の形態に係る電気掃除機にアタッチメントを接続した延長管の一部縦断側面図である。
【図３】蛇腹ホースを伸張させたアタッチメントの縦断側面図である。
【図４】延長管の着脱状態を示す電気掃除機の斜視図である。
【図５】本発明の一実施形態に係る電気掃除機の要部の縦断側面図である。
【図６】同図５のアタッチメントのヒンジ近辺の縦断拡大図である。
【図７】同図５のヒンジの回転軸を支点にブラシを曲げたアタッチメントの側面図である。
【図８】本発明の一実施の形態に係る電気掃除機１の要部の縦断側面図である。
【図９】同図８の延長管から延長管だけを外すときの縦断側面図である。
【図１０】同図８の延長管からアタッチメントを外すときの縦断側面図である。
【符号の説明】
【００４７】
１  電気掃除機、２  掃除機本体、３  ホース、４  ホースグリップ部、５  延長管、５Ａ  延長管、５Ｂ  延長管、６  溝、７  床ブラシ、１０  アタッチメント、１１  保持体、１２  植毛台、１３  筒体、１４  風路、１６  ブラシ、１７  蛇腹ホース、２０  脱用ボタン、２０Ａ  支持板、２１  回転軸、２２  付勢部材、２３  保持体側ヒンジ板、２４  筒体側ヒンジ板、２５  回転軸、２５Ａ  抜け止め、２７  ヒンジ。
【図１】
2005192911.tif 000003
【図２】
2005192911.tif 000004
【図３】
2005192911.tif 000005
【図４】
2005192911.tif 000006
【図５】
2005192911.tif 000007
【図６】
2005192911.tif 000008
【図７】
2005192911.tif 000009
【図８】
2005192911.tif 000010
【図９】
2005192911.tif 000011
【図１０】
2005192911.tif 000012